(57)【要約】【課題】画像読取装置の筐体の原稿読取用の開口側を含む各方向から溶接する構造と比べて筐体の製造が容易な画像読取装置及び画像形成装置を提供する。【解決手段】画像読取装置１は、上方に原稿読取窓用の開口部１２２ａが形成されるように側方向からのレーザ溶接によって接合され、上端部と側壁とをＬ字状に折曲して形成された４つの板部材１２Ａ〜１２Ｄと、４つの板部材１２Ａ〜１２Ｄに側方向又は下方向からのレーザ溶接によって接合された底壁１２３とを有する筐体１２と、筐体１２内に収容され、開口部１２２ａを介して原稿の画像を読み取る光学系とを備える。【選択図】図３
2011091654.tif 000002
【特許請求の範囲】
【請求項１】
上方に原稿読取窓用の開口部が形成されるように側方向からのレーザ溶接によって接合され、上端部と側壁とをＬ字状に折曲して形成された４つの板部材と、前記４つの板部材に側方向又は下方向からのレーザ溶接によって接合された底壁とを有する筐体と、
前記筐体内に収容され、前記開口部を介して原稿の画像を読み取る光学系とを備えた画像読取装置。
【請求項２】
前記底壁は、前記筐体内の部品を支持する部材の突片が挿入される開口を有し、前記突片と前記開口の周辺とが下方向からのレーザ溶接によって接合された請求項１に記載の画像読取装置。
【請求項３】
前記４つの板部材は、第１の板部材の上端部の一方の端部に第２の板部材の一方の上端部を重ね、前記第２の板部材の前記上端部と前記側壁との折曲部の近傍にＵ字状の開口を設けてＵ字状の開口の内側の前記側壁の残部分に前記第１の板部材の前記上端部を突き当て、前記側壁の前記残部分をレーザ溶接の箇所とする請求項２に記載の画像読取装置。
【請求項４】
請求項１乃至３のいずれか１項に記載の画像読取装置と、
前記画像読取装置により読み取られた画像の情報に基づいて、記録媒体に画像を形成する画像形成部と、
を備えた画像形成装置。
【発明の詳細な説明】
【技術分野】
【０００１】
本発明は、画像読取装置及び画像形成装置に関する。
【背景技術】
【０００２】
画像読取装置は、高い周波数の制御信号で制御されるＣＣＤ（Charge Coupled Device）を筐体に内蔵していることから、筐体を板金で形成して電磁波ノイズの外部への放射を抑制している（例えば、特許文献１参照）。
【０００３】
特許文献１に記載された画像読取装置は、上端部及び下端部がそれぞれ断面Ｌ字状に内側に折曲された４つの側壁部材を上端部同士を重ねて溶接し、側壁部材の下端部にボトムシャーシをネジ止めして上部に原稿読取用の開口を有する筐体を形成している。
【先行技術文献】
【特許文献】
【０００４】
【特許文献１】特開２００５−１７３１１７号公報
【発明の概要】
【発明が解決しようとする課題】
【０００５】
本発明の目的は、画像読取装置の筐体の原稿読取用の開口側を含む各方向から溶接する構造と比べて筐体の製造が容易な画像読取装置及び画像形成装置を提供することにある。
【課題を解決するための手段】
【０００６】
本発明の一形態は、上記目的を達成するため、以下の画像読取装置及び画像形成装置を提供する。
【０００７】
［１］上方に原稿読取窓用の開口部が形成されるように側方向からのレーザ溶接によって接合され、上端部と側壁とをＬ字状に折曲して形成された４つの板部材と、前記４つの板部材に側方向又は下方向からのレーザ溶接によって接合された底壁とを有する筐体と、前記筐体内に収容され、前記開口部を介して原稿の画像を読み取る光学系とを備えた画像読取装置。
【０００８】
［２］前記底壁は、前記筐体内の部品を支持する部材の突片が挿入される開口を有し、前記突片と前記開口の周辺とが下方向からのレーザ溶接によって接合された前記［１］に記載の画像読取装置。
【０００９】
［３］前記４つの板部材は、第１の板部材の上端部の一方の端部に第２の板部材の一方の上端部を重ね、前記第２の板部材の前記上端部と前記側壁との折曲部の近傍にＵ字状の開口を設けてＵ字状の開口の内側の前記側壁の残部分に前記第１の板部材の前記上端部を突き当て、前記側壁の前記残部分をレーザ溶接の箇所とする前記［２］に記載の画像読取装置。
【００１０】
［４］前記［１］１乃至［３］のいずれか１つに記載の画像読取装置と、前記画像読取装置により読み取られた画像の情報に基づいて、記録媒体に画像を形成する画像形成部と、を備えた画像形成装置。
【発明の効果】
【００１１】
請求項１、４に記載された発明によれば、画像読取装置の筐体の原稿読取用の開口側を含む各方向から溶接する構造と比べて筐体の製造が容易になる。
【００１２】
請求項２に記載された発明によれば、筐体の下方向からレーザ溶接を行うことができ、筐体内に溶接カスが入り込むのを防ぐことができる。
【００１３】
請求項３に記載された発明によれば、第１の板部材と第２の板部材との重ね合わせ誤差を少なくすることができる。
【図面の簡単な説明】
【００１４】
【図１】図１は、本発明の実施の形態に係る画像形成装置の構成例を示す図である。
【図２】図２は、画像読取装置の内部構造を示す概略図である。
【図３】図３は、画像読取装置の筐体の斜視図である。
【図４】図４は、図３に示す筐体の分解斜視図である。
【図５】図５は、画像読取装置の筐体の底面図である。
【図６】図６は、図５のＡ−Ａ線断面図である。
【図７】図７は、図３のＢ部拡大図である。
【図８】図８は、図７のＣ方向から見た要部斜視図である。
【図９】図９（ａ）は、図７のＤ−Ｄ線断面図、図９（ｂ）は、図７のＥ−Ｅ線断面図、図９（ｃ）は、図７のＦ−Ｆ線断面図である。
【発明を実施するための形態】
【００１５】
図１は、本発明の実施の形態に係る画像形成装置を示す。この図では、画像読取装置１の外観、及び画像読取装置１の下側に配置された本体部１００Ａの内部構造を示している。
【００１６】
（画像形成装置全体の構成）
この画像形成装置１００は、原稿９から画像を読み取る画像読取装置１と、画像を用紙３０に印刷する画像形成部２と、画像形成部２に用紙３０を供給するトレイ部３とを備えて構成されている。画像読取装置１は、画像形成部２及びトレイ部３を収容する本体部１００Ａとの間に印刷された用紙３０が排出される空間を形成するように、支持部４によって画像形成装置本体としての本体部１００Ａの上側に支持されている。
【００１７】
画像読取装置１の筐体１２の前面にあたる前壁１２１の上部には、ユーザーに操作メニューを提示して各種設定等を受け付けるタッチパネル１１１、及び複数の操作ボタン１１２を有するコントロールパネル１１０が設けられている。また、コントロールパネル１１０の上側には、筐体１２に対して開閉可能な原稿カバー１０が配置されている。
【００１８】
画像形成部２は、中間転写ベルト２０と、中間転写ベルト２０にイエロー（Ｙ），マゼンダ（Ｍ），シアン（Ｃ），ブラック（Ｋ）の各色のトナー画像を転写する第１乃至第４の画像形成ユニット２５Ｙ，２５Ｍ，２５Ｃ，２５Ｋと、画像情報に基づいて変調されたレーザー光を第１乃至第４の画像形成ユニット２５Ｙ，２５Ｍ，２５Ｃ，２５Ｋに照射する光学走査装置２５０とを備えている。
【００１９】
第１の画像形成ユニット２５Ｙは、感光ドラム２５１と、感光ドラム２５１の表面を一様に帯電する帯電器２５２と、感光ドラム２５１の表面に光学走査装置２５０によって形成された静電潜像をトナーで現像してトナー画像を形成する現像器２５３と、中間転写ベルト２０を感光ドラム２５１に押し付ける一次転写ローラ２５４とを有している。第２乃至第４の画像形成ユニット２５Ｍ，２５Ｃ，２５Ｋも第１の画像形成ユニット２５Ｙと同様に構成されている。
【００２０】
中間転写ベルト２０は、図略のモータに連結された駆動ローラ２１によって駆動され、第１の従動ローラ２２、第２の従動ローラ２３、及び中間転写ベルト２０に張力を付与するテンションローラ２４によって形成される循環経路に沿って回転する。
【００２１】
また、画像形成部２は、中間転写ベルト２０を挟んで第２の従動ローラ２３と対向する位置に配置された二次転写ローラ２６と、ヒーターを内蔵した定着ローラ２７１及び定着ローラ２７１に向かって加圧された加圧ローラ２７２を有する定着ユニット２７と、定着ユニット２７を通過した用紙３０を排出台２９に排出する排出ローラ２８とを備えている。
【００２２】
トレイ部３は、向きや大きさ、あるいは紙質等の異なる用紙３０をそれぞれ格納し、上下方向に並んで配置された第１乃至第３のトレイ３１〜３３を有している。
【００２３】
また、トレイ部３は、第１乃至第３のトレイ３１〜３３のそれぞれに対応して、格納された用紙３０を取り出すためのピックアップローラ３４Ａ，３４Ｂ，３４Ｃと、複数の用紙３０が取り出された場合にそれらを分離する分離ローラ３５Ａ，３５Ｂ，３５Ｃと、用紙３０をさらに下流側へ搬送するレジローラ３６Ａ，３６Ｂ，３６Ｃとを備えている。レジローラ３６Ａ，３６Ｂ，３６Ｃは、画像形成部２による画像形成のタイミングに同期して動作し、第１乃至第３のトレイ３１〜３３から取り出した用紙３０を搬送路３７に沿って二次転写ローラ２６と中間転写ベルト２０との間に導くように構成されている。
【００２４】
この画像形成装置１００は、各トレイ３１〜３３にサイズや向きが異なる用紙３０が格納されている場合に、各トレイ３１〜３３から供給された用紙３０は、その用紙３０の中心が搬送路３７の中心とほぼ一致するように搬送され、排出ローラ２８から排出台２９上に排出されるように構成されている。
【００２５】
（画像読取装置の構成）
図２は、画像読取装置１の内部構造を示す概略図である。なお、この図では原稿カバー１０の図示を省略している。画像読取装置１は、筐体１２の内部に、副走査方向に移動可能な第１及び第２のキャリッジ１４，１５と、レンズ１６０及びＣＣＤ（Charge Coupled Device）１６１等を有する画像読取部１６と等の光学系を収容している。
【００２６】
筐体１２は、原稿カバー１０に面する上壁１２２の一部が開口した箱状であり、上壁１２２に対向する底壁１２３、底壁１２３を挟んで副走査方向（図２の左右方向）に対向する側壁１２４及び側壁１２５、前述の前壁１２１（図１参照）、及び前壁１２１と主走査方向（図２の紙面に直交する方向）に対向する後壁１２６とを有している。上壁１２２の開口部１２２ａは、原稿９が置かれるプラテンガラス１２０で覆われている。
【００２７】
後壁１２６には、副走査方向に延びる第１のレール１３１が固定されている。また、底壁１２３には、副走査方向に延びる第２のレール１３２が固定されている。第１のレール１３１及び第２のレール１３２は、主走査方向に並ぶようにそれぞれ２つずつ配置されているが、図２ではそれらの一方のみを図示している。
【００２８】
第１のキャリッジ１４には、主走査方向に延びる基板１４０と、基板１４０に実装されて原稿９を照射するための光を発する複数のＬＥＤ１４１と、基板１４０に平行に設けられた導光体１４２と、導光体１４２からの出射光の一部を原稿９の方向へ反射するリフレクタ１４３と、原稿９の反射光を受ける第１のミラー１４４とが固定されている。
【００２９】
また、第１のキャリッジ１４は、第１のレール１３１に案内されて、導光体１４２等の各部材と共に副走査方向に移動しながら原稿９の画像読取部位を照射し、第１のミラー１４４によって、原稿９の反射光を後述する第２のキャリッジ１５の第２のミラー１５１に向けて反射する。
【００３０】
導光体１４２は、アクリル等の光透過性を有する材料で形成され、ＬＥＤ１４１に対向する入射面１４２ａと、入射面１４２ａからの入射光の一部を原稿９の方向に出射する第１の出射面１４２ｂと、同入射光の他の一部をリフレクタ１４３の方向に出射する第２の出射面１４２ｃとを有している。
【００３１】
第２のキャリッジ１５には、前述の第１のミラー１４４からの反射光を受ける第２のミラー１５１と、この第２のミラー１５１からの反射光を受ける第３のミラー１５２とが固定されている。
【００３２】
また、第２のキャリッジ１５は、第２のレール１３２に案内されて副走査方向に移動しながら、原稿９の反射光を画像読取部１６のレンズ１６０に向けて反射する。
【００３３】
第１のキャリッジ１４及び第２のキャリッジ１５は、図略の駆動機構によって駆動され、第１のキャリッジ１４の副走査方向への移動中、原稿９の画像読取部位から後述するＣＣＤ１６１までの光路長が変動しないように、第２のキャリッジ１５の移動量は第１のキャリッジ１４の移動量の半分になるように構成されている。第１のキャリッジ１４が原稿９の副走査方向の端部付近に移動したときの第１のキャリッジ１４及び第２のキャリッジ１５を図２に二点鎖線で示す。
【００３４】
画像読取部１６は、第２のレール１３２に支持されたベース板１３３に固定された、レンズ１６０、及びＣＣＤ（Charge Coupled Device）１６１を実装した基板１６２を有している。
【００３５】
画像読取部１６は、第３のミラー１５２からの反射光がレンズ１６０を透過してＣＣＤ１６１に結像し、ＣＣＤ１６１によって原稿９の画像を読み取るように構成されている。
【００３６】
（画像読取装置の筐体の構造）
図３は、画像読取装置１の筐体１２の斜視図、図４は、図３に示す筐体１２の分解斜視図である。
【００３７】
上壁１２２は、図３及び図４に示すように、４つの上壁１２２Ａ〜１２２Ｄから構成されている。筐体１２は、前壁１２１と上壁１２２Ａ、側壁１２４と上壁１２２Ｂ、側壁１２５と上壁１２２Ｃ、後壁１２６と上壁１２２Ｄ、及び底壁１２３の５つの板部材１２Ａ〜１２Ｅから構成され、それらは互いにレーザ溶接によって接合されている。板部材１２Ａ〜１２Ｅは、それぞれ１枚の厚さ１〜２ｍｍ程度の鋼材等からなる板金から打ち抜き、折り曲げ等の加工を経て形成される。
【００３８】
図５は、画像読取装置１の筐体１２の底面図、図６は、図５のＡ−Ａ線断面図である。
【００３９】
底壁１２３には、剛性を高めるため、底壁１２３の各所に絞り加工を施している。すなわち、筐体１２の底壁１２３には、略環状の領域、例えば、略Ｃ字状の領域において第１の幅を有して筐体１２の内側に突出する第１の凹部４２ａと、第１の凹部４２ａの内側に設けられ、用紙排出方向４１に沿う線状の領域において第１の幅よりも小さい第２の幅を有して筐体１２の内側に突出する複数の第２の凹部４２ｂと、第１の凹部４２ａの外側に設けられ、用紙排出方向４１に直交する方向に沿う線状の領域において第２の幅を有して筐体１２の内側に突出する第３の凹部４２ｃと、底壁１２３の隅に設けられ、筐体１２の外側に突出する３つの座部としての第１の凸部４３ａと、第１の凹部４２ａのＣ字状の間隙の近傍に設けられ、筐体１２の外側に突出する第２の凸部４３ｂとが絞り加工によって形成されている。なお、第１の凹部４２ａが形成される略環状の領域には、略Ｃ字状に限られず、略Ｕ字状、一部が途切れた略環状、途切れた箇所が無い完全な環状の領域が含まれ、略環状の領域が複数の領域に分割されていてもよい。
【００４０】
また、第１の凹部４２ａのうち、用紙排出方向４１側の部分は、図６に示すように、底面４２０と、底面４２０にほぼ垂直な側面４２１と、側面４２１よりも傾斜した傾斜面４２２から構成され、他の部分は、底面４２０と一対の側面４２１から構成されている。これにより、印刷された用紙３０の先端が傾斜面４２２に接触したとしても、用紙３０の先端側が折れ曲がることなく、円滑に排出される。
【００４１】
底壁１２３には、図５に示すように、第２のレール１３２の突片１３２ａが挿入されて溶接される複数の開口４４が副走査方向に沿って形成されている。第１の凹部４２ａに形成された開口４４に挿入された突片１３２ａは、第１の凹部４２ａの底面４２０からほとんど突出しないように形成されている。第１の凹部４２ａ以外に形成された開口４４に挿入された突片１３２ａは、凹部４２ａ〜４２ｃや凸部４３ａ，４３ｂが形成されていない表面からほとんど突出しないように形成されている。
【００４２】
筐体１２の底壁１２３に凹部４２ａ〜４２ｃと凸部４３ａ，４３ｂの両方を設けることで、凹部又は凸部の一方のみを設けた場合と比べて剛性が高くなり、高い強度が得られる。
【００４３】
（筐体の溶接構造）
図７は、図３のＢ部拡大図、図８は、図７のＣ方向から見た要部斜視図、図９（ａ）は、図７のＤ−Ｄ線断面図、図９（ｂ）は、図７のＥ−Ｅ線断面図、図９（ｃ）は、図７のＦ−Ｆ線断面図である。なお、図７及び図８において、ハッチングを施した領域は、レーザ溶接を行った溶接箇所５０（５０ａ，５０ｂ，５０ｃ）を示す。
【００４４】
この筐体１０は、側面側及び底面側からレーザ溶接を行い、開口部１２２ａが形成される上面側からレーザ溶接を行わなくてもよい構造（溶接構造）となっている。以下、その溶接構造の特徴的な部分について説明する。
【００４５】
（図７のＤ−Ｄ線で示す第１の溶接箇所５０ａ）
図７に示すように、板部材１２Ｃの上壁１２２Ｃと側壁１２５との折曲部の近傍にＵ字状の開口１２５ａを設け、そのＵ字状の開口１２５ａの内側に溶接対象部分（残部分）１２５ａを形成している。そして、図７及び図９（ａ）に示すように、板部材（第２の板部材）１２Ａの上壁（上端部）１２２Ａの一方の端部に板部材（第１の板部材）１２Ｃの上壁（上端部）１２２Ｃを重ね、板部材１２Ａの上壁１２２Ａの端面１２２ａに側壁１２５の溶接対象部分１２５ｂを突き当て、溶接対象部分１２５ｂをレーザ溶接する。板部材１２Ａの上壁１２２Ａの端面１２２ａと溶接対象部分１２５ｂの内面とが溶接された接合箇所５１となる。
【００４６】
第１の溶接箇所５０ａは、筐体１０の他の３つの角部、すなわち板部材１２Ａの他方の端部側の角部、板部材１２Ｄの上壁１２２Ｄの両方の端部側の角部にも、上述したように形成される。
【００４７】
（図７のＥ−Ｅ線で示す第２の溶接箇所５０ｂ）
底壁１２３の周縁には、図９（ｂ）に示すように、上側に折り曲げた折曲部１２３ａを有しており、その折曲部１２３ａの外面と側壁１２５の内面とを接触させ、折曲部１２３ａと側壁１２５とをレーザ溶接する。折曲部１２３ａの外面と側壁１２５の内面とが溶接された接合箇所５１となる。
【００４８】
前壁１２１及び後壁１２６の両端側の下方も内側に折り曲げた折曲部を有しており、その折曲部の外面と側壁１２４、１２５の内面とを接触させ、図７のＥ-Ｅ線で示す第２の溶接箇所５０ｂと同様にレーザ溶接される。
【００４９】
（図７のＦ−Ｆ線で示す第３の溶接箇所５０ｃ）
前壁１２１の内面と側壁１２５の端面とを接触させ、接触させた箇所が溶接箇所５０ｃであり、接合箇所５１でもある。第３の溶接箇所５０ｃは、筐体１０の他の３つの角部、すなわち前壁１２１の他方の端部側の角部、後壁１２６の両方の端部側の角部にも、上述したように形成される。
【００５０】
（画像形成装置の動作）
次に、画像形成装置１００の動作について説明する。ユーザーが給紙トレイ１０１ａの上、又はプラテンガラス１２０の上に原稿９を置き、コントロールパネル１１０のタッチパネル１１１及び操作ボタン１１２を操作して原稿９の複写を指示すると、画像読取装置１は画像の読み取りを開始する。画像読取装置１の制御部（図示しない）は、給紙トレイ１０１ａの上に原稿９が置かれた場合には、自動給紙部１０１を制御して原稿９をプラテンガラス１２０の上の読み取り位置に搬送する。
【００５１】
画像読取装置１の制御部は、複数のＬＥＤ１４１に電流を供給して発光させると共に、駆動機構を制御して第１及び第２のキャリッジ１４，１５を副走査方向に駆動する。導光体５の出射面５ｃから出射した光が原稿９の表面で反射した反射光は、第１のミラー１４４、第２のミラー１５１、及び第３のミラー１５２で反射され、画像読取部１６のレンズ１６０に入射する。
【００５２】
レンズ１６０を透過した光はＣＣＤ１６１に結像し、ＣＣＤ１６１によって原稿９の画像を読み取る。画像読取装置１の制御部は、画像の読み取り結果としての画像データを画像形成部２の光学走査装置２５０に送る。この後、制御部は、給紙トレイ１０１ａの上に置かれた原稿９を読み取った場合には、自動給紙部１０１を制御して原稿９を排出台１０１ｂに排出する。
【００５３】
光学走査装置２５０は、ＹＭＣＫ各色の画像データに基づいて変調された光ビームを帯電器２５２によって帯電された感光ドラム２５１に照射して、感光ドラム２５１の表面に静電潜像を形成する。この静電潜像は、現像器２５３によりトナーで現像されてトナー像が形成される。感光ドラム２５１上のトナー画像は、一次転写ローラ２５４によって中間転写ベルト２０に転写される。
【００５４】
一方、第１乃至第３のトレイ３１〜３３の何れか１つ、例えば第１のトレイ３１からは、ピックアップローラ３４Ａによって用紙３０が用紙搬送路３７に取り込まれ、分離ローラ３５Ａによって捌かれた後、レジローラ３６Ａによって二次転写ローラ２６と中間転写ベルト２０との間に搬送され、中間転写ベルト２０上のトナー像が用紙３０に転写される。
【００５５】
その後、用紙３０上のトナー像は、定着ユニット２７によって定着された後、排出ローラ２８によって排出台２９に排出される。
【００５６】
なお、本発明は上記実施の形態に限定されず、その要旨を変更しない範囲で変形実施が可能である。
【符号の説明】
【００５７】
１…画像読取装置、２…画像形成部、３…トレイ部、４…支持部、９…原稿、１０…原稿カバー、１２…筐体、１２Ａ〜１２Ｅ…板部材、１４…第１のキャリッジ、１５…第２のキャリッジ、１６…画像読取部、２０…中間転写ベルト、２１…駆動ローラ、２２，２３…従動ローラ、２４…テンションローラ、２５Ｙ…第１の画像形成ユニット、２５Ｍ…第２の画像形成ユニット、２５Ｃ…第３の画像形成ユニット、２５Ｋ…第４の画像形成ユニット、２６…二次転写ローラ、２７…定着ユニット、２８…排出ローラ、２９…排出台、３０…用紙、３１…第１のトレイ、３２…第２のトレイ、３３…第３のトレイ、３４Ａ，３４Ｂ，３４Ｃ…ピックアップローラ、３５Ａ，３５Ｂ，３５Ｃ…分離ローラ、３６Ａ，３６Ｂ，３６Ｃ…レジローラ、３７…搬送路、４０…接触可能領域、４１…用紙排出方向、４２ａ…第１の凹部、４２ｂ…第２の凹部、４２ｃ…第３の凹部、４３ａ…第１の凸部、４３ｂ…第２の凸部、５０，５０ａ〜５０ｃ…溶接箇所、５１…接合箇所、１００…画像形成装置、１００Ａ…本体部、１１０…コントロールパネル、１１１…タッチパネル、１１２…操作ボタン、１２０…プラテンガラス、１２１…前壁、１２２，１２２Ａ〜１２２Ｄ…上壁、１２２ａ…開口部、１２３…底壁、１２４…側壁、１２５…側壁、１２５ａ…開口、１２５ｂ・・・溶接対象部分、１２６…後壁、１３１…第１のレール、１３２…第２のレール、１３２ａ…突片、１３３…ベース板、１４０…基板、１４２…導光体、１４２ａ…入射面、１４２ｂ…出射面、１４２ｃ…出射面、１４３…リフレクタ、１４４…第１のミラー、１５１…第２のミラー、１５２…第３のミラー、１６０…レンズ、１６２…基板、２５０…光学走査装置、２５１…感光ドラム、２５２…帯電器、２５３…現像器、２５４…一次転写ローラ、２７１…定着ローラ、２７２…加圧ローラ、４２０…底面、４２１…側面、４２２…傾斜面、Ｌ…距離
【図１】
2011091654.tif 000003
【図２】
2011091654.tif 000004
【図３】
2011091654.tif 000005
【図４】
2011091654.tif 000006
【図５】
2011091654.tif 000007
【図６】
2011091654.tif 000008
【図７】
2011091654.tif 000009
【図８】
2011091654.tif 000010
【図９】
2011091654.tif 000011